(57)【要約】      （修正有）【課題】環境破壊が生ずるため、埋め立て処分、海洋投棄が不可能であった大量のホタテ貝殼の再利用を図ることにある。【解決手段】溶融型道路標示材において、あらかじめ溶融型道路標示材の使用量と、ホタテ貝殻の細粒体と微粉体の必要量を別個の袋詰体とし現場において混合使用可能とした。【選択図】図１
0003100949.tif 000002
【実用新案登録請求の範囲】
【請求項１】
溶融型道路標示材に、ホタテ貝殼の細粒体と微粉体を所要量混合したことを特徴とするホタテ貝殼入り道路標示材。
【請求項２】
溶融型道路標示材に、ホタテ貝殼の細粒体を所要量混合したことを特徴とするホタテ貝殼入り溶融型道路標示材。
【請求項３】
溶融型道路標示材に、ホタテ貝殻の微粉体を所要量混合したことを特徴とするホタテ貝殼入り溶融型道路標示材。
【請求項４】
請求項１乃至３に記載の溶融型道路標示材において、前記ホタテ貝殼の細粒体の粒度を１０６〜８５０μｍとし、微粉体の粒度を１０６μｍ以下としたことを特徴とするホタテ貝殻入り溶融型道路標示材。
【請求項５】
請求項１乃至４に記載の溶融型道路標示材において、前記溶融型道路標示材に対する前記ホタテ貝殻の細粒体の混合比を５〜３０％、前記ホタテ貝殻の微粉体の混合比を２〜３０％としたことを特徴とするホタテ貝殼入り溶融型道路標示材。
【請求項６】
請求項１乃至５に記載のホタテ貝殻入り溶融型道路標示材において、あらかじめ溶融型道路標示材の使用量と、ホタテ貝殻の細粒体と微粉体の必要量を別個の袋詰体とし、現場において混合使用可能としたことを特徴とする溶融型道路標示材。
【考案の詳細な説明】
【０００１】
【考案の属する技術分野】
本考案は、ホタテ貝殼の細粒体、または微粉体あるいは細粒体と微粉体の所要量を溶融型道路標示材に混合してなるホタテ貝殼入り溶融型道路標示材に関するものである。
【０００２】
【従来の技術】
従来環境整備に役立つ資源の再利用をはかり、溶融型道路標示材としてホタテ貝殻使用の試みも見られた事は公知である。
【０００３】
【考案が解決しようとする課題】
ところが、上記従来技術のものは、塗料としての貯蔵安定性が悪く、貯蔵時に作業性の悪化、色の変化、臭いの悪臭化が見られ実用化されなかったという問題があった。
【０００４】
【課題を解決するための手段】
本考案は、上記問題点を早急に解決することを目的とし、請求項１に係る考案は、溶融型道路標示材に、ホタテ貝殻の細粒体、または細粒体と微粉体を所要量混合したことを特徴としたものである。
【０００５】
また、請求項２に係る考案は、溶融型道路標示材に、ホタテ貝殻の細粒体を所要量混合したことを特徴としたものである。
【０００６】
また、請求項３に係る考案は、溶融型道路標示材に、ホタテ貝殻の微粉体を所要量混合したことを特徴としたものである。
【０００７】
また、請求項４に係る考案は、請求項１乃至３に記載の溶融型道路標示材において、前記ホタテ貝殻の細粒体の粒度を１０６〜８５０μｍとし、微粉体の粒度を１０６μｍ以下としたことを特徴としたものである。
【０００８】
また、請求項５に係る考案は、請求項１乃至４に記載の溶融型道路標示材において、前記溶融型道路標示材に対する前記ホタテ貝殼の細粒体の混合比を５〜３０％、前記ホタテ貝殼の微粉体の混合比を２〜３０％としたことを特徴としたものである。
【０００９】
また、請求項６に係る考案は、請求項１乃至５に記載のホタテ貝殻入り溶融型道路標示材において、あらかじめ溶融型道路標示材の使用量と、ホタテ貝殼の細粒体と微粉体の必要量を別個の袋詰体とし、現場において混合使用可能としたことを特徴としたものである。
【００１０】
【考案の実施の形態】
以下、本考案のホタテ貝殼入り溶融型道路標示材の実施の形態を図面参照して説明する。図１乃至図３は本考案の一実施例を示したものであって、図１はホタテ貝殻入り溶融型道路標示材を路面に施工した状態の一例を示す一部拡大断面図、図２はあらかじめ溶融型道路標示材の使用量とホタテ貝殼の細粒体と微粉体の必要量を個別の袋詰体とした状態の一例を示す一部切欠斜視図、図３は本考案のホタテ貝殻入り溶融型道路標示材における白材および黄色材の場合の材料構成と混合比（％）の一例を示したものである。
【００１１】
図１において、Ａはホタテ貝殼入り溶融型道路標示材であって、前記ホタテ貝殼入り溶融型道路標示材Ａは、周知の各材料、例えば石油樹脂、顔料、体質材、骨材、反射材、添加剤等からなる溶融型道路標示材１と、ホタテ貝殼の細粒体２、または、前記細粒体２とホタテ貝殼の微粉体３とで構成されてなるものであるが、前記ホタテ貝殻入り溶融型道路標示材Ａは単に溶融型道路標示材１とホタテ貝殻の微粉体３とで構成することも可能である。４は前記溶融型道路標示材１と、ホタテ貝殻の細粒体２および微粉体３を別個に入れた袋詰体、５は路面である。
【００１２】
本考案は以上説明したように、施工現場において、各袋詰めされた溶融型道路標示材１と、ホタテ貝殻の細粒体２および微粉体３を所要量づつ混合して施工するものであり、施工作業を迅速に行うことができるものである。
【００１３】
【考案の効果】
本考案によれば、溶融型道路標示材に所要量のホタテ貝殻の細粒体、または、細粒体と微粉体を袋詰体として混合することにより、塗料の貯蔵安定性を確保し、色の変化、施工性の確保、臭いの変化、塗膜の脆さ等の改良を図り、溶融型道路標示材（塗料）として路面に何時でも施工可能なものとするものである。
従来、環境破壊が生ずるため、埋め立て処分、海洋投棄が不可能になった大量のホタテ貝殼の再利用が可能となり、その処理量を大量に増加させ、環境破壊防止に大いに役立ち得る効果があり、その混合比も前記の溶融型道路標示材に対する、ホタテ貝殻の細粒体および微粉体の混合比を全体の３５％以下とすることにより、塗料の変質欠陥、塗膜欠陥等を生ずることなく、良好な施工を行うことができる等の効果がある。
【００１４】
また本考案によれば、あらかじめ溶融型道路標示材の使用量とホタテ貝殼の細粒体、または細粒体と微粉体の必要量を別個の袋詰体としたものであるから、製造工場において溶融型道路標示材とホタテ貝殼の細粒体および微粉体を一緒に袋詰体としたものに比して、貯蔵安定性が良く、施工性および色を悪くすることなく道路標示材としての性能を損わず、長期に亘り保存することができる等効果がある。
【図面の簡単な説明】
【図１】本考案に係るホタテ貝殻入り溶融型道路標示材を路面に施工した状態の一例を示す一部拡大断面図である。
【図２】本考案に係るホタテ貝殻入り溶融型道路標示材において、溶融型道路標示材の使用量とホタテ貝殻の細粒体と微粉体の必要量を別個の袋詰体とした状態を示す一部切欠斜視図である。
【図３】本考案に係るホタテ貝殻入り溶融型道路標示材における白材および黄色材の場合の材料構成と混合比（％）の一例を示した図である。
【符号の説明】
Ａ    ホタテ貝殼入り溶融型道路標示材
１    溶融型道路標示材
２    ホタテ貝殻の細粒体
３    ホタテ貝殼の細粒体と微粉体
４    袋詰体
５    路面
【図１】
0003100949.tif 000003
【図２】
0003100949.tif 000004
【図３】
0003100949.tif 000005
【手続補正書】
【提出日】平成15年10月10日(2003.10.10)
【手続補正１】
【補正対象書類名】明細書
【補正対象項目名】全文
【補正方法】変更
【補正の内容】
【実用新案登録請求の範囲】
【請求項１】溶融型道路標示材に、ホタテ貝殻の細粒体と微粉体を所要量混合した道路標示材を、略扁平四角形状の袋体に収容して袋詰体としたことを特徴とするホタテ貝殻入り道路標示材収容袋詰体。
【請求項２】溶融型道路標示材に、ホタテ貝殻の細粒体を所要量混合した道路標示材を、略扁平四角形状の袋体に収容して袋詰体としたことを特徴とするホタテ貝殻入り溶融型道路標示材収容袋詰体。
【請求項３】溶融型道路標示材に、ホタテ貝殻の微粉体を所要量混合した道路標示材を、略扁平四角形状の袋体に収容して袋詰体としたことを特徴とするホタテ貝殻入り溶融型道路標示材収容袋詰体。
【請求項４】請求項１乃至３に記載のホタテ貝殻入り溶融型道路標示材収容袋詰体において、前記ホタテ貝殻の細粒体の粒度を１５０〜６００（１０６〜８５０）μｍとし、微粉体の粒度を１５０μｍ以下としたことを特徴とするホタテ貝殻入り溶融型道路標示材収容袋詰体。
【請求項５】請求項１乃至４に記載のホタテ貝殻入り溶融型道路標示材収容袋詰体において、前記溶融型道路標示材に対する前記ホタテ貝殻の細粒体の混合比を５〜３０％、前記ホタテ貝殻の微粉体の混合比を２〜３０％としたことを特徴とするホタテ貝殻入り溶融型道路標示材収容袋詰体。
【請求項６】請求項１乃至５に記載のホタテ貝殻入り溶融型道路標示材収容袋詰体において、あらかじめ溶融型道路標示材の使用量と、ホタテ貝殻の細粒体と微粉体の必要量を別個の袋詰体とし、現場において混合使用可能としたことを特徴とするホタテ貝殻入り溶融型道路標示材収容袋詰体。
【考案の詳細な説明】
【０００１】
【考案の属する技術分野】
本考案は、ホタテ貝殻の細粒体、または粉粒体あるいは細粒体と粉粒体の所要量を溶融型道路標示材に混合して袋詰体としてなるホタテ貝殻入り溶融型道路標示材収容袋詰体に関するものである。
【０００２】
【従来の技術】
従来環境整備に役立つ資源の再利用をはかり、溶融型道路標示材としてホタテ貝殻使用の試みも見られたことは公知である。
【０００３】
【考案が解決しようとする課題】
ところが、上記従来技術のものは、塗料としての貯蔵安定性が悪く、貯蔵時に作業性の悪化、色の変化、臭いの悪臭化が見られ実用化されないという問題点があった。
【０００４】
【課題を解決するための手段】
本考案は、上記問題点を解決することを目的とし、請求項１に係る考案は、溶融型道路標示材に、ホタテ貝殻の細粒体、または細粒体と微粉体を所要量混合した道路標示材を、略扁平四角形状の袋体に収容して袋詰体としたことを特徴としたものである。
【０００５】
また、請求項２に係る考案は、溶融型道路標示材に、ホタテ貝殻の細粒体を所要量混合した道路標示材を、略扁平四角形状の袋体に収容して袋詰体としたことを特徴としたものである。
【０００６】
また、請求項３に係る考案は、溶融型道路標示材に、ホタテ貝殻の微粉体を所要量混合した道路標示材を、略扁平四角形状の袋体に収容して袋詰体としたことを特徴としたものである。
【０００７】
また、請求項４に係る考案は、請求項１乃至３に記載のホタテ貝殻入り溶融型道路標示材収容袋詰体において、前記ホタテ貝殻の細粒体の粒度を１５０〜６００（１０６〜８５０）μｍとし、微粉体の粒度を１５０μｍ以下としたことを特徴としたものである。
【０００８】
また、請求項５に係る考案は、請求項１乃至４に記載のホタテ貝殻入り溶融型道路標示材収容袋体において、前記溶融型道路標示材に対する前記ホタテ貝殻の細粒体の混合比を５〜３０％、前記ホタテ貝殻の微粉体の混合比を２〜３０％としたことを特徴としたものである。
【０００９】
また、請求項６に係る考案は、請求項１乃至５に記載のホタテ貝殻入り溶融型道路標示材収容袋詰体において、あらかじめ溶融型道路標示材の使用量と、ホタテ貝殻の細粒体と微粉体の必要量を別個の袋詰体とし、現場において混合使用可能としたことを特徴としたものである。
【００１０】
【考案の実施の形態】
以下、本考案のホタテ貝殻入り溶融型道路標示材収容袋詰体の実施の形態を図面を参照して説明する。図１乃至図３は本考案の一実施例を示したものであって、図１はホタテ貝殻入り溶融型道路標示材を路面に施工した状態の一例を示す一部拡大断面図、図２はあらかじめ溶融型道路標示材の使用量とホタテ貝殻の細粒体と微粉体の必要量を別個の袋詰体とした状態の一例を示す一部切欠斜視図、図３は本考案に係るホタテ貝殻入り溶融型道路標示材における白材および黄色材の場合の材料構成と混合比（％）の一例を示したものである。
【００１１】
図１において、Ａはホタテ貝殻入り溶融型道路標示材であって、前記ホタテ貝殻入り溶融型道路標示材Ａは、周知の各材料、例えば石油樹脂、顔料、体質材、骨材、反射材、添加剤等からなる溶融型道路標示材１と、ホタテ貝殻の細粒体２，または、前記細粒体２とホタテ貝殻の微粉体３とで構成されてなるものであるが、前記ホタテ貝殻入り溶融型道路標示材Ａは単に溶融型道路標示材１とホタテ貝殻の微粉体３とで構成することも可能である。４は前記溶融型道路標示材１とホタテ貝殻の細粒体２および微粉体３を別個に入れた袋詰体、５は路面である。
【００１２】
本考案は以上説明したように、施工現場において、各袋詰めされた溶融型道路標示材１と、ホタテ貝殻の細粒体２および微粉体３を所要量づつ混合して施工するものであり、施工作業を迅速に行うことができるものである。
【００１３】
【考案の効果】
本考案によれば、溶融型道路標示材に所要量のホタテ貝殻の細粒体、または、細粒体と微粉体を袋詰体として混合することにより、塗料の貯蔵安定性を確保し、色の変化、施工性の確保、臭いの変化、塗膜の脆さ等の改良を図り、溶融型道路標示材（塗料）として路面に何時でも施工可能なものとするものである。
従来、環境破壊が生ずるため、埋め立て処分、海洋投棄が不可能になった大量のホタテ貝殻の再利用が可能となり、その処理量を大量に増加させ、環境破壊防止に大いに役立ち得る効果があり、その混合比も前記の溶融型道路標示材に対する、ホタテ貝殻の細粒体および微粉体の混合比を全体の３５％  以下とすることにより、塗料の変質欠陥、塗膜の欠陷等を生ずることなく、良好な施工を行うことができる等の効果がある。
【００１４】
また本考案によれば、あらかじめ溶融型道路標示材の使用量とホタテ貝殻の細粒体，または細粒体と微粉体の必要量を別個の袋詰体としたものであるから、製造工場において溶融型道路標示材とホタテ貝殻の細粒体および微粉体を一緒に袋詰体としたものに比して、貯蔵安定性が良く、施工性および色を悪くすることなく道路標示材としての性能を損わず、長期に亘り保存することができる効果がある。
【図面の簡単な説明】
【図１】本考案に係るホタテ貝殻入り溶融型道路標示材を路面に施工した状態の一例を示す一部拡大断面図である。
【図２】本考案に係るホタテ貝殻入り溶融型道路標示材収容袋詰体において、溶融型道路標示材の使用量とホタテ貝殻の細粒体と微粉体の必要量を別個の袋詰体とした状態を示す一部切欠斜視図である。
【図３】本考案に係るホタテ貝殻入り溶融型道路標示材における白材および黄色材の場合の材料構成と混合比（％）の一例を示した図である。
【符号の説明】
Ａ    ホタテ貝殻入り溶融型道路標示材
１    溶融型道路標示材
２    ホタテ貝殻の細粒体
３    ホタテ貝殻の細粒体と微粉体
４    袋詰体
５    路面